【手続補正書】
【提出日】平成16年11月5日(2004.11.5)
【手続補正１】
【補正対象書類名】明細書
【補正対象項目名】全文
【補正方法】変更
【補正の内容】
【書類名】      明細書
【発明の名称】  蓄光発光性コイル体と、蓄光発光性装身具
【特許請求の範囲】
【請求項１】  粗面表面に加工したばね用鋼線のコイル形態の芯線の外周に、光反射層の第１層と該第１層を包み込む蓄光発光層の第２層から成る被覆を備え、前記第１層は白色顔料を混入した合成樹脂層にして、前記第２層は、アルカリ土類アルミン酸塩を母体結晶となし、ユウロピウム（ＥＵ）を賦活剤、ジスプロシウム（ＤＹ）またはネオジム（Ｎｄ）を賦活助剤とした概ね１０〜５０ミクロンサイズの粒状物の蓄光発光剤と着色顔料を混入した合成樹脂層にして、自然表面色と蓄光発光色を同一色または異色に構成した蓄光発光体から成る構造を特徴とする蓄光発光性コイル体。
【請求項２】  撚合ワイヤロープの芯線の外周に、光反射層の第１層と該第１層を包み込む蓄光発光層の第２層から成る被覆を備え、前記第１層は白色顔料を混入した合成樹脂層にして、前記第２層は、アルカリ土類アルミン酸塩を母体結晶となし、ユウロピウム（ＥＵ）を賦活剤、ジスプロシウム（ＤＹ）またはネオジム（Ｎｄ）を賦活助剤とした概ね１０〜５０ミクロンサイズの粒状物の蓄光発光剤と着色顔料を混入した合成樹脂層にして、自然表面色と蓄光発光色を異色に構成した蓄光発光体から成る構造を特徴とする蓄光発光性装身具。
【請求項３】  撚合ワイヤロープの芯線の外周に、光反射層の第１層と該第１層を包み込む蓄光発光層の第２層から成る被覆を備え、前記第１層は白色顔料を混入した合成樹脂層にして、前記第２層は、アルカリ土類アルミン酸塩を母体結晶となし、ユウロピウム（ＥＵ）を賦活剤、ジスプロシウム（ＤＹ）またはネオジム（Ｎｄ）を賦活助剤とした概ね１０〜５０ミクロンサイズの粒状物の蓄光発光剤と着色顔料を混入した合成樹脂層にして、自然表面色と蓄光発光色を同一色または異色に構成した蓄光発光性線条体を１本以上含む線条体を複数本組合せ撚合し、少くとも二種以上の異色の蓄光発光色から成る構造を特徴とする蓄光発光性装身具。
【請求項４】  透明ビーズ珠と暗色ビーズ珠を蓄光発光体に貫通装着し、文字発光または幾何学模様発光を可能にした請求項２または請求項３のいずれかに記載の蓄光発光性装身具。
【発明の詳細な説明】
【０００１】
【発明の属する技術分野】
本発明は、装身具等の素線として用いる蓄光発光性コイル体と、蓄光発光性の「ネックレス・指輪・ブレスレット等の装身具」に関するものである。
【０００２】
【従来の技術】
蓄光発光剤の添加によって蓄光発光性を付与した「テープ・シート・装飾リング」等は特開平１１−２４１０５２・実用新案登録第３０４９０８０・３０６６９６７号に示される公知例があり、それ等物品の要所が暗中等において視認把握できる発光視認性を有している。
【０００３】
【発明が解決しようとする課題】
前記の従来の蓄光発光性能つき物品は、前記例示の物品の限定構造にして、諸構造物への応用性に欠けると共に、発光性能および発光による意匠性能・放彩性能のさらなる向上を図るべき点がある。
【０００４】
本発明は、以上の従来技術の難点を解消する「蓄光発光性のコイル体と、蓄光発光性装身具」を提供するものである。
【０００５】
【課題を解決するための手段】
以上の技術課題を解決する本発明の蓄光発光性コイル体と蓄光発光性装身具は「粗面外周のばね用鋼線または撚合ワイヤロープの芯線から成るコイル体または線条体の外周に、光反射層の第１層と該第１層を包み込む蓄光発光層の第２層から成る被覆を備え、前記第１層は白色顔料を混入した合成樹脂層にして、前記第２層は、アルカリ土類アルミン酸塩を母体結晶となし、ユウロピウム（ＥＵ）を賦活剤、ジスプロシウム（ＤＹ）またはネオジム（Ｎｄ）を賦活助剤とした概ね１０〜５０ミクロンサイズの粒状物の蓄光発光剤と着色顔料を混入した合成樹脂層にして、自然表面色と蓄光発光色が蓄光発光体のときは同一色または異色に、また蓄光発光性装身具のときは異色に構成した蓄光発光体を用いて成る構造」が特徴である。
【０００６】
そして、前記構成の本発明の蓄光発光性コイル体・蓄光発光性装身具を構成する蓄光発光体は、前記芯線と第１層の密着係止力を向上させる意図で前記芯線外周を粗面表面にしたり、各種構造物の構成要素としての可撓柔軟性・機械的強度を付与するために前記芯線を「素線を撚合したワイヤロープ形態」にしたり、全形を用途に適する「コイル形状・リング形状」にする等の用途・機能に照らした多様な態様を、後述する実施例のように採択する。
【０００７】
【作用】
以上の構成の本発明の蓄光発光性コイル体・蓄光発光性装身具は前記２層の被覆を備えた構造であることから、外周の第２層表面に照射される自然光・照明光が該第２層に入光されて該第２層内の蓄光発光材によって蓄光され、かつ、該第２層を透過した入力光が下層の第１層によって効率良く反射されて該第２層に再入力して同じく蓄光され、その総蓄光量が該第２層表面から発光放散する発光プロセスとなる。
【０００８】
以上の発光プロセス作用から、該第１層・第２層の固有色調を着色顔料によって任意に設定しておくことによって、自然採光状態の明るい場所では主として該第２層の表面反射光が支配する固有色（地肌色）が外観色調として視認把握され、自然入光が欠乏する暗い場所では、前記のプロセスが支配する該第２層の蓄光発光層からの放散光の色調が外観色調として視認把握される。
【０００９】
以上の視認把握プロセスから、前記第１層・第２層の固有色調を多様な組合せにしたり該第１層・第２層の着色顔料の含有量を調整することによって、当該蓄光発光体の視認外観は環境明度に応じて多色多様・美麗に変化すると共に、特に暗部では特有の放彩形態が長時間有効に持続できる。
【００１０】
以上の蓄光発光体を用いて成る本発明の装身具は、前記の蓄光発光プロセスによって多彩美麗な放彩作用を有して意匠的価値の特段の向上をもたらす作用がある。
【００１１】
【発明の実施の形態】
本発明の蓄光発光体の１実施形態を図１・図２を参照して説明する。まず、図１に示す蓄光発光体１Ａは主として後述する装身具のリング状の装身具主部の素線として用いるものにして「細径円形線のばね用ステンレス鋼線（ＳＵＳ３０４）の芯線２を埋め込む白色樹脂層の第１層３（１２ナイロンに酸化チタン２０重量％混合した樹脂層）が設けられ、この第１層３を埋め込む蓄光発光樹脂層の第２層４（１２ナイロンに蓄光発光剤を２０重量％混合した樹脂層）を設けた２層樹脂被覆構造の円形線に成形され、この線状体が所要径Ｄ４（例えば１８〜６０粍直径）の密度巻きコイル形態に成形されている。
【００１２】
なお、この実施形態のものは「芯線２の直径Ｄ１＝０．６粍、第１層３の直径Ｄ２＝０．７４粍、第２層４の直径Ｄ３＝１．０粍」のサイズ諸元にして、蓄光発光剤としては「アルカリ土類アルミン酸塩を母体結晶となし、ユウロピウム（ＥＵ）を賦活剤、ジスプロシウム（ＤＹ）またはネオジム（Ｎｄ）を賦活助剤とした蛍光体（例えば根本特殊化学株式会社製のルミノーバ（登録商標）の概ね１０〜５０ミクロンサイズの粒状物）が用いてあり、さらに芯線２は第１層３の成形前に「ガラスビーズ・アルミナ粉」等によるショットブラスト加工及び電解研磨加工によって粗面表面に形成されている。なお、前記蓄光発光剤は第２層４の着色に影響を及ぼさない無色系を用いる。
【００１３】
一方、図２に示す蓄光発光体１Ｂは主として後述する「自動車・建物・釣具等の構造物」に用いる発光視認用構造物要素の素材にして、芯線２は「複数のストランド線５を撚合したＳＵＳ材質のワイヤロープ体」にして、この芯線２を埋め込む「図１実施形態と同一の第１層３と第２層４」を設け、ロープ状の線状形態に形成されている。
【００１４】
そして、以上の実施形態の蓄光発光体１Ａ・１Ｂは、表１例示のように第１層３と第２層４の樹脂材中に所要色の着色顔料を添加混合して、用途に応じた多様な「自然表面色（地肌色）」と「蓄光発光色」を備えた色調形態に構成される。
【００１５】
【表１】
2003304913.tif 000001
【００１６】
即ち、第１層３と第２層４の着色顔料の固有色と樹脂材への混合割合の選択によって、自然表面色と蓄光発光色を同一色または相互異色にしたり、色濃淡が異なる多色にして、前記の雰囲気明度に応じて極めて多様に色調変化する放彩形態に自在に構成される。
【００１７】
次に、図３・図４を参照して本発明の装身具の実施例を説明する。まず、図３（Ａ）は前記実施形態の蓄光発光体１Ａの線体９を用いて成るネックレスＮが示してあり、表１に例示する自然表面色（以下、単に自然色という）・蓄光発光色を有する蓄光発光体１Ａを「単数コイル・２巻きコイル・３巻きコイル」等の必要コイル数にしたリング状のネックレス主部１０によって形成されている。そして、この実施例のネックレスＮのネックレス主部１０は切欠リング形態にして、この切欠リング端の間隔を長短調整可能・着脱自在に連結する連結チェーン７を有している。
【００１８】
以上の実施例のネックレスＮは「通常の明るい場所では蓄光発光体１Ａの自然色を呈し、少し暗い場所では「該自然色と第２層４の蓄光発光色の混合色」を呈し、さらに暗い場所では「第２層４の蓄光発光色のみを呈する」多色変化の放彩作用を成し、装身具としての意匠価値を特段に向上する。
【００１９】
一方、図３（Ｂ）は図３（Ａ）のネックレスＮの他の態様が示してあり、ネックレスＮは線体９を中心孔に貫通させるビーズ珠１１と線体９に係止した動物体・植物体等の有形装飾ピース１２が要所に装着された装飾物付設形態を有している。この装飾物付設形態のものは図４に例示する多様な態様変化が可能にして、前記実施例の意匠効果のさらなる向上ができる。
【００２０】
そして、図４（Ａ）（Ｂ）に示すものはネックレス主部１０の要所の線体９に「透明・任意色にして真円球または多面球のビーズ珠１１」を貫通装着したり、ビーズ珠１１を連珠状に貫設装着した態様に成っており、図４（Ｃ）に示すものは自然色・蓄光発光色のいずれか、またはいずれもが「ピンク・グリーン・ブルー」等のように異なる蓄光発光体１Ａを組合せ撚合した線体９によってネックレス主部１０が形成されている。
【００２１】
以上の図４（Ａ）（Ｂ）のものは、暗い場所で「線体９が発光する線体発光」と、この線体発光を受けた「多面体ビーズ珠１１が蓄光発光する多面体形状としての立体的散光」が重合発光作用し、少し暗い場所では「淡色の多面体ビーズ珠１１が前記の線体発光を受けて自己（多面体ビーズ体）の内部から放散する立体的放散光」と、「うす明りによる多面体ビーズ体１１自体の淡色発光（地肌色発光）」が加重作用し、これ等の加重作用に基づく発光放彩が環境明暗度に応じて多様に視認認識される。
【００２２】
さらに暗色ビーズ珠１１との組合せにすることによって、線体９の発光が「透明ビーズ珠１１では透過すると共に暗色ビーズ珠１１では遮断される性質」を利用して、例えば暗色ビーズ珠１１群の中に「透明ビーズ珠１１をＨ等の文字形状や模様形状」に配設し、この文字・模様のみを発光させたり、或はその暗色ビーズ珠１１の表面に付設した文字・模様による文字発光・幾何学模様発光等をさせることが可能にして、これ等の放彩発光作用によってネックレスＮの放彩意匠性の特段の向上ができる。
【００２３】
そして、図４（Ｃ）のものはネックレス主部１０を構成する複数の線体９が異なる自然光・蓄光発光をスパイラル状に放散する放彩形態を奏し、また蓄光発光体１Ａの相互を補色関係の色調・発光色とすることによって、相互の色調および発光色をより鮮やかに演出させることが可能にして、同じく意匠性の特段の向上ができる。
【００２４】
次に、図５は図１に示す蓄光発光体１Ａを用いて成る装身具のイヤリングＥとブレスレットＢが示してあり、前記実施例のネックレスＮと同様にリング状にした蓄光発光体１Ａによって主要部を構成している。このイヤリングＥ・ブレスレットＢもネックレスＮと同様な意匠性向上の作用効果がある。
【００２５】
続いて、図６を参照して本発明の蓄光発光体を素材とする「発光視認用の構造物要素」の実施例を説明する。即ち、図６（Ａ）に示すものは図１実施例の蓄光発光体１Ａを素線として公知形状のコイルばねＳを形成し、このコイルばねＳ（Ｓ１は圧縮コイルばね、Ｓ２は引っ張りコイルばね、Ｓ３は捩りコイルばね）を蓄光発光性の機械的要素として使用可能に構成したものである。
【００２６】
以上の蓄光発光性コイルばねＳは発光視認用構造物要素１３として下記例示のように使用する。即ち、（図７参照）ハリス１５下端の「つり天秤１６」の係止用または「おもり１７」近傍に装着して、暗い水中で発光させて集魚機能させる釣具としたり、図７（Ｂ）のように建物の階段１８や手摺バー１９の溝部に装着して暗中自発光させる発光安全表示要素にしたり、図示しないが自動車のトランク内のトランクオープナーに装着してトランク内に閉じ込められたときの非常脱出を可能にするトランク内発光要素として使用する。
【００２７】
さらに、本発明の蓄光発光体１Ａは「懐中電灯・ドアノブ・手摺り・避難路」等にセットして「非常時の発光案内部・発光誘導部」としたり、危険防止柵の発光安全ロープ等として各種構造物の発光視認要素として広く使用する。
【００２８】
なお、本発明の蓄光発光体の芯線２は前記実施例の材質以外に「ピアノ線・硬鋼線・オイルテンパー線」または「超弾性特性・温度による形状回復特性を示すＮｉ（ニッケル）−Ｔｉ（チタン）合金線」を用いることがある。
【００２９】
【発明の効果】
以上の説明のとおり、本発明の蓄光発光性のコイル体・蓄光発光性装身具は多様多彩の蓄光発光性を有して、意匠性を尊重する装身具の素材として有効に活用できると共に、これを用いて成る装身具は装身具意匠性の特段の向上を図り、さらに各種構造物の発光視認部として有用に機能する。以上の諸効果がある。
【図面の簡単な説明】
【図１】
本発明１実施形態の蓄光発光性コイル体を示し、（Ａ）はその正面図、（Ｂ）は（Ａ）の横断面図、（Ｃ）はその一態様の全形図
【図２】
本発明１実施形態の蓄光発光体を示し、（Ａ）はその正面図、（Ｂ）は（Ａ）の横断面図
【図３】
本発明の装身具の１実施例を示し、（Ａ）はその１態様の全体正面図、（Ｂ）はその１態様の部分正面図
【図４】
本発明の装身具の他の実施例を示し、（Ａ）（Ｂ）（Ｃ）ともその部分正面図
【図５】
本発明の装身具の他の実施例を示し、（Ａ）（Ｂ）ともその正面図
【図６】
本発明の発光視認用構造物要素の１実施例の斜視図
【図７】
本発明の発光視認用構造物要素の１実施例を示し、（Ａ）（Ｂ）ともその斜視図
【符号の説明】
１Ａ・１Ｂ  蓄光発光体
２  芯線
３  第１層
４  第２層
５  ストランド線
９  線体
１０  ネックレス主部
１１  ビーズ珠
１２  装飾ピース
Ｂ  ブレスレット
Ｅ  イヤリング
Ｎ  ネックレス
Ｓ  コイルばね